(57)【要約】【課題】  信号端子台に電源線が誤って接続された場合でも、信号生成回路に生じる不具合を低減することができる調光装置を提供する。【解決手段】  調光装置Ａ１は、電源端子台１１と、電源回路Ｋ１と、信号生成回路Ｋ２と、信号端子台１５と、筐体３と、を備える。電源端子台１１は、電源線が接続されて交流電圧を入力される。電源回路Ｋ１は、交流電圧を直流電圧に変換する。信号端子台１５は、信号線Ｗ２１，Ｗ２２を接続される。信号生成回路Ｋ２は、駆動電源として直流電圧Ｖ３を入力されて、照明器具の調光レベルを指示するための調光信号を生成し、信号端子台１５から信号線を介して調光信号を出力する。筐体３は、電源端子台１１、電源回路Ｋ１、及び信号端子台１５を収納する。そして、筐体３は、電源端子台１１、電源回路Ｋ１、及び信号端子台１５と信号生成回路Ｋ２とを隔てる隔壁３２を備える。【選択図】図１
2019129093.tif 000002
【特許請求の範囲】
【請求項１】
電源線が接続されて交流電圧を入力される電源端子台と、
前記交流電圧を直流電圧に変換する電源回路と、
信号線を接続される信号端子台と、
駆動電源として前記直流電圧を入力されて、照明器具の調光レベルを指示するための調光信号を生成し、前記信号端子台から前記信号線を介して前記調光信号を出力する信号生成回路と、
前記電源端子台、前記電源回路、及び前記信号端子台を収納する筐体と、を備え、
前記筐体は、前記電源端子台、前記電源回路、及び前記信号端子台と前記信号生成回路とを隔てる隔壁を有する
ことを特徴とする調光装置。
【請求項２】
前記信号生成回路は、前記隔壁より前方に配置され、
前記筐体は、前記信号端子台を露出させる孔を後面に設けている
ことを特徴とする請求項１記載の調光装置。
【請求項３】
前記筐体が直接または間接に取り付けられて造営材の前面に固定される取付枠を備え、
前記筐体が前記造営材の開口に埋込配設されている
ことを特徴とする請求項２記載の調光装置。
【請求項４】
前記電源端子台、前記電源回路、前記信号端子台が実装された第１基板を有する電源基板ユニットと、
前記信号生成回路が実装された第２基板を有する制御基板ユニットと、を備えて、
前記筐体は、前記電源基板ユニットを収納する
ことを特徴とする請求項１乃至３のいずれか一項に記載の調光装置。
【請求項５】
前記筐体は、前面に開口を有して、前記開口を前記隔壁によって覆われたケースを備えており、
前記隔壁は、板状の隔壁本体と、前記隔壁本体の外縁から後方に向かって突出している側壁と、前記第１基板を支持する支持部と、を有する
ことを特徴とする請求項４記載の調光装置。
【請求項６】
前記隔壁本体は、前記電源端子台に対向する箇所にリブを有する
ことを特徴とする請求項５記載の調光装置。
【発明の詳細な説明】
【技術分野】
【０００１】
本発明は、一般に調光装置に関する。
【背景技術】
【０００２】
従来、照明器具の調光レベルを設定するための調光器がある。
【０００３】
例えば、特許文献１に記載の調光器では、ケースカバーが取付板の裏面上に固定されており、ケースカバーには積層回路基板が収納されている。積層回路基板は、電源回路基板及び制御回路基板を備えている。
【先行技術文献】
【特許文献】
【０００４】
【特許文献１】特開２０１７−９８３３９号公報
【発明の概要】
【発明が解決しようとする課題】
【０００５】
上述の特許文献１の調光器（調光装置）において、電源回路基板は、電圧が比較的高い強電系の回路を構成しており、制御回路基板は、電圧が比較的低い弱電系の回路を構成している。そして、電源回路基板及び制御回路基板が、ケースカバーに収納されている。
【０００６】
一般に、電源回路基板（電源回路）には、電源線が接続される電源端子台が実装されており、制御回路基板（信号生成回路）には、信号線が接続される信号端子台が実装されている。この場合、電源線は、強電系の回路に接続されており、電源線には比較的高い電圧が伝達される。また、信号線は、弱電系の回路に接続されており、信号線には比較的低い電圧が伝達される。
【０００７】
しかしながら、電源線を信号端子台に誤って接続する誤結線が生じた場合、制御回路基板（信号生成回路）の不具合が生じることがある。
【０００８】
本発明の目的は、信号端子台に電源線が誤って接続された場合でも、信号生成回路に生じる不具合を低減することができる調光装置を提供することにある。
【課題を解決するための手段】
【０００９】
本発明の一態様に係る調光装置は、電源端子台と、電源回路と、信号端子台と、信号生成回路と、筐体と、を備える。前記電源端子台は、電源線が接続されて交流電圧を入力される。前記電源回路は、前記交流電圧を直流電圧に変換する。前記信号端子台は、信号線を接続される。前記信号生成回路は、駆動電源として前記直流電圧を入力されて、照明器具の調光レベルを指示するための調光信号を生成し、前記信号端子台から前記信号線を介して前記調光信号を出力する。前記筐体は、前記電源端子台、前記電源回路、及び前記信号端子台を収納する。そして、前記筐体は、前記電源端子台、前記電源回路、及び前記信号端子台と前記信号生成回路とを隔てる隔壁を有する。
【発明の効果】
【００１０】
以上説明したように、本発明は、信号端子台に電源線が誤って接続された場合でも、信号生成回路に生じる不具合を低減することができるという効果がある。
【図面の簡単な説明】
【００１１】
【図１】図１は、実施形態の調光装置の構成を示す分解斜視図である。
【図２】図２は、同上の調光装置を示す斜視図である。
【図３】図３は、同上の調光装置、取付枠、化粧プレートを示す分解斜視図である。
【図４】図４は、同上の取付枠及び化粧プレートが取り付けられた調光装置を示す斜視図である。
【図５】図５は、同上の調光装置の回路を示すブロック図である。
【図６】図６は、同上の調光装置の筐体及び電源基板ユニットを斜め後方から見た分解斜視図である。
【図７】図７は、同上の調光装置の筐体及び電源基板ユニットを斜め前方から見た分解斜視図である。
【図８】図８は、同上の調光装置の筐体及び電源基板ユニットを後方から見た後面である。
【図９】図９は、同上の調光装置の補助プレート及び制御基板ユニットを示す分解斜視図である。
【発明を実施するための形態】
【００１２】
以下の実施形態は、一般に調光装置に関する。より詳細に、以下の実施形態は、電源回路及び信号生成回路を備える調光装置に関する。
【００１３】
本実施形態の調光装置について図１〜図９を参照して説明する。
【００１４】
図１及び図２は、調光装置Ａ１の構成を示す。図３及び図４に示すように、調光装置Ａ１は、矩形枠状の取付枠６に取り付けられ、さらに調光装置Ａ１の前面には化粧カバー７が取り付けられる。なお、以下の説明では、特に断りが無いかぎり、図１において上下左右前後の各方向を規定する。なお、本実施形態において言及する上下左右前後の各方向は、調光装置Ａ１の説明のために便宜的に用いられており、調光装置Ａ１の実施の形態を限定するために用いられていない。
【００１５】
調光装置Ａ１は、図１に示すように、電源基板ユニット１と、制御基板ユニット２と、筐体３と、補助プレート４と、調光操作部５とを備える。
【００１６】
図５は、電源基板ユニット１及び制御基板ユニット２で構成される電気回路のブロック図を示す。なお、電源基板ユニット１と制御基板ユニット２との間は、電線の両端にコネクタをそれぞれ設けたワイヤハーネスＷｓによって電気的に接続される。
【００１７】
電源基板ユニット１は、電源端子台１１、フィルタ１２、整流回路１３、ＤＣ電源回路１４、信号端子台１５、及びレセプタクル１６を備える。そして、フィルタ１２、整流回路１３、ＤＣ電源回路１４は、電源回路Ｋ１を構成する。電源基板ユニット１は、電圧が比較的高い強電系の回路（電源回路Ｋ１、電源端子台１１など）を含んでおり、商用の交流電圧を主に扱う。
【００１８】
制御基板ユニット２は、ＤＣ変換回路２１、マイクロコンピュータ２２、調光用の可変抵抗器２３、調光信号出力回路２４、過電流検知回路２５、及びレセプタクル２６を備える。そして、ＤＣ変換回路２１、マイクロコンピュータ２２、調光信号出力回路２４は、信号生成回路Ｋ２を構成する。制御基板ユニット２は、電圧が比較的低い弱電系の回路（信号生成回路Ｋ２など）を含んでおり、直流の低電圧を主に扱う。
【００１９】
電源端子台１１は、一対の入力端子１１ａ，１１ｂを有している。一対の入力端子１１ａ，１１ｂには、一対の電源線Ｗ１１，Ｗ１２が接続される。一対の電源線Ｗ１１，Ｗ１２は、商用の電力系統に電気的に接続しており、一対の電源線Ｗ１１，Ｗ１２の線間には、交流電圧Ｖ１（実効値１００Ｖ〜２４０Ｖの範囲の交流電圧）が印加されている。したがって、一対の入力端子１１ａ，１１ｂの間にも交流電圧Ｖ１が印加される。
【００２０】
そして、一対の入力端子１１ａ，１１ｂは、電源回路Ｋ１に電気的に接続しており、電源回路Ｋ１は、交流電圧Ｖ１を直流電圧Ｖ３に変換する。
【００２１】
具体的に電源回路Ｋ１では、一対の入力端子１１ａ，１１ｂが、フィルタ１２、及び整流回路１３を介して、ＤＣ電源回路１４に電気的に接続している。フィルタ１２は、インダクタ及びコンデンサの両方、またはインダクタ及びコンデンサの一方を有しており、交流電圧Ｖ１からノイズ成分、高調波成分などの不要な成分を減衰させる。交流電圧Ｖ１は、フィルタ１２を通過した後に、整流回路１３によって全波整流（または半波整流）されて、整流電圧Ｖ２に変換される。整流回路１３は、複数のダイオードを有するダイオードブリッジなどで構成される。
【００２２】
ＤＣ電源回路１４は、整流電圧Ｖ２を直流電圧Ｖ３（例えば、１３．５Ｖ）に変換する。本実施形態のＤＣ電源回路１４は、絶縁型のスイッチング電源回路であり、昇降圧チョッパ回路、または降圧チョッパ回路を構成している。なお、ＤＣ電源回路１４の構成は、特定の構成に限定されず、絶縁型電源回路、非絶縁型電源回路、スイッチング電源回路、リニア電源回路、昇降圧チョッパ回路、降圧チョッパ回路、昇圧チョッパ回路などのいずれでもよい。直流電圧Ｖ３は、レセプタクル１６、ワイヤハーネスＷｓ、レセプタクル２６を介して、信号生成回路Ｋ２に出力される。
【００２３】
信号生成回路Ｋ２は、駆動電源として直流電圧Ｖ３を入力されて、照明器具の調光レベルを指示するための調光信号Ｙ２を生成する。
【００２４】
具体的に信号生成回路Ｋ２では、ＤＣ変換回路２１が、直流電圧Ｖ３を直流の制御電圧Ｖ４（例えば、３．３Ｖまたは５Ｖ）に変換する。本実施形態のＤＣ変換回路２１は、降圧型のリニア電源回路であり、制御電圧Ｖ４は、マイクロコンピュータ２２に出力されて、マイクロコンピュータ２２の動作電源として用いられる。
【００２５】
そして、調光用の可変抵抗器２３のアクチュエータは、後述の調光操作部５に機械的に接続しており、調光用の可変抵抗器２３の抵抗値は、調光操作部５の回転に連動して変化する。
【００２６】
マイクロコンピュータ２２は、コンピュータシステムであり、ハードウェアとしてのプロセッサ及びメモリを主構成とする。メモリに記録されたプログラムをプロセッサが実行することによって、本実施形態における調光信号の生成機能が実現される。マイクロコンピュータ２２の入力ポートには、調光用の可変抵抗器２３が電気的に接続しており、マイクロコンピュータ２２は、調光用の可変抵抗器２３の両端電圧Ｖｓを検出することで、調光操作部５によって設定された調光レベルを間接的に検出できる。マイクロコンピュータ２２は、調光操作部５によって設定された調光レベルに対応するデューティ（オンデューティまたはオフデューティ）にＰＷＭ（Power Width Modulation）変調された電圧信号であるＰＷＭ信号Ｙ１を調光信号出力回路２４へ出力する。
【００２７】
調光信号出力回路２４は、ＰＷＭ信号Ｙ１を増幅して調光信号Ｙ２を生成する。すなわち、調光信号Ｙ２は、調光レベルに対応するデューティにＰＷＭ変調された電圧信号である。調光信号Ｙ２は、レセプタクル２６、ワイヤハーネスＷｓ、レセプタクル１６を介して、信号端子台１５に出力される。
【００２８】
信号端子台１５は、一対の出力端子１５ａ，１５ｂを有しており、一対の出力端子１５ａ，１５ｂを介して、調光信号Ｙ２が出力される。そして、一対の出力端子１５ａ，１５ｂには、一対の信号線Ｗ２１，Ｗ２２が接続される。一対の信号線Ｗ２１，Ｗ２２は、照明器具の制御装置に電気的に接続しており、調光信号Ｙ２は、一対の出力端子１５ａ，１５ｂから一対の信号線Ｗ２１，Ｗ２２に出力される。照明器具の制御装置は、調光信号Ｙ２に基づいて、照明器具の調光レベルを調整する。
【００２９】
過電流検知回路２５は、出力端子１５ａ，１５ｂを流れる電流（出力電流）の値を検出しており、出力電流の値が閾値以上になると、調光信号出力回路２４の出力を停止させる。したがって、一対の信号線Ｗ２１，Ｗ２２が短絡または地絡した場合には、調光信号出力回路２４の出力が停止することで、安全性が確保される。
【００３０】
次に、電源基板ユニット１及び制御基板ユニット２の各配置について説明する。
【００３１】
まず、図６、図７に示すように、筐体３は、ケース３１と、隔壁３２とを具備している。そして、ケース３１と隔壁３２とが組み合わされることで、筐体３は、中空の矩形箱状に形成されており、電源基板ユニット１を収納する。ケース３１及び隔壁３２は、難燃性の合成樹脂成型品であり、例えばポリブチレンテレフタレート（ＰＢＴ：Polybutylene
terephthalate）樹脂などを材料とする。また、ケース３１と補助プレート４とで調光装置Ａ１の外殻を構成する装置本体（ハウジング）８を構成している。
【００３２】
電源基板ユニット１は、上下方向の寸法が左右方向の寸法より長い矩形板状の第１基板１０を備える。そして、電源端子台１１、電源回路Ｋ１（フィルタ１２、整流回路１３、ＤＣ電源回路１４）、信号端子台１５、及びレセプタクル１６などをそれぞれ構成する電気部品Ｐ１は、第１基板１０に実装されている。第１基板１０の第１面（後面）１０ａ及び第２面１０ｂ（前面）には導体が形成されており、複数の電気部品Ｐ１は、導体を介して電気的に接続している。
【００３３】
電源端子台１１は、第１基板１０の第１面１０ａの左下に実装されており、信号端子台１５は、第１基板１０の第１面１０ａの右上に実装されている。フィルタ１２、整流回路１３、ＤＣ電源回路１４は、第１基板１０の第１面１０ａ及び第２面１０ｂに実装されている抵抗、コンデンサ、コイル、ＩＣ（Integrated Circuit）素子などの電気部品Ｐ１によってそれぞれ構成されている。なお、第１基板１０は、内部に導体を形成している多層基板であってもよい。
【００３４】
第１基板１０は、上下方向に沿った左辺及び右辺の各中央に台形板の形状の突片１０１をそれぞれ有している。また、第１基板１０は、左右方向に沿った上辺の左側に矩形状の切り欠き１０２を有している。
【００３５】
隔壁３２は、上下方向の寸法が左右方向の寸法より長い矩形板状の隔壁本体３２１を備える。隔壁本体３２１の第１面３２ａ（後面）は、第１基板１０の第２面１０ｂに対向し、隔壁本体３２１の第２面３２ｂ（前面）は、制御基板ユニット２に対向する。
【００３６】
隔壁本体３２１の上辺の左側には、矩形状の配線用凹部３２ｃが形成されている。隔壁本体３２１の左辺及び右辺の各中央には、上下方向に長い矩形板状の凸部３２ｅがそれぞれ形成されている。凸部３２ｅのそれぞれの先端には、矩形板状の載置板３２ｆが後方に突出するようにそれぞれ設けられている。載置板３２ｆの後端（先端）の上下方向の中央には、矩形状の切り欠き３２ｇが形成されている。隔壁本体３２１の第１面３２ａの周縁（一対の載置板３２ｆの間）では、側壁３２ｈが後方に向かって形成されている。さらに、側壁３２ｈには、後端（先端）から前方に向かって矩形状に切り欠かれた４つの切り欠き３２ｉが形成されている。切り欠き３２ｉは、隔壁本体３２１の左辺における載置板３２ｆの上側、隔壁本体３２１の右辺における載置板３２ｆの上側及び下側、隔壁本体３２１の下辺の中央にそれぞれ形成されている。側壁３２ｈの左辺の下側には、側壁３２ｈが内側に迂回したＵ字状のリブ３２ｍが形成されている。また、隔壁本体３２１の第１面３２ａには、一対の載置板３２ｆの間に左右方向に延びた直線状のリブ３２ｊが形成されており、リブ３２ｊの右端側には後方へ突出した載置片３２ｋが形成されている。
【００３７】
第１基板１０は、第２面１０ｂが隔壁３２の第１面３２ａに対向するように、隔壁３２の後方に配置される。隔壁３２の側壁３２ｈの後端（先端）は、第２面１０ｂの外縁に当接する。さらに、載置板３２ｆの切り欠き３２ｇには、第１基板１０の突片１０１が嵌まり込む。また、隔壁３２の載置片３２ｋは、第２面１０ｂに当接する。また、隔壁本体３２１の左側端及び右側端は、載置板３２ｆの内側面に当接する。上述のように、第１基板１０は隔壁３２に対して位置決めされており、第１基板１０の前方向、左右方向、及び上下方向への移動が規制されている。そして、隔壁本体３２１の第１面３２ａと第１基板１０の第２面１０ｂとの間には、側壁３２ｈ及び載置片３２ｋによって空間が形成されており、第１基板１０の第２面１０ｂに実装されている電気部品Ｐ１と隔壁本体３２１との干渉を防止している。なお、上述の側壁３２ｈ、切り欠き３２ｇ、及び載置片３２ｋが、第１基板１０を支持する支持部に相当する。
【００３８】
ケース３１は、図６、図７に示すように、矩形箱状のケース本体３１１を有し、ケース本体３１１の前面には開口３１０が形成されている。ケース本体３１１は、矩形板形状の底壁３１ａと、底壁３１ａの左右の両側縁から前方に向かってそれぞれ設けられた板状の側壁３１ｂ，３１ｃと、底壁３１ａの上下の両側縁から前方に向かってそれぞれ設けられた板状の側壁３１ｄ，３１ｅとを有する。
【００３９】
ケース本体３１１の内面には、前後方向に延びた柱形状の６つのリブ３１ｆが形成されている。３つのリブ３１ｆは、側壁３１ｂの内面に上下方向に沿って並んで配置されている。３つのリブ３１ｆは、側壁３１ｃの内面に上下方向に沿って並んで配置されている。リブ３１ｆの各前端は、前後方向の位置が等しくなる。さらに、側壁３１ｂ，３１ｃの各内面の上部及び下部には、前後方向に沿って延びた四角錘台形状の凸部３１ｇがそれぞれ形成されている。そして、側壁３１ｂ，３１ｃの各内面には、一対の凸部３１ｇの間に凹部３１ｑが形成されている。
【００４０】
さらに、底壁３１ａの内面の左下隅には、矩形状の突台３１ｈが形成されており、突台３１ｈには前後方向に挿通する矩形状の孔３１ｉが形成されている。また、底壁３１ａの内面の右上隅には、矩形状の突台３１ｊが形成されており、突台３１ｊには前後方向に挿通する矩形状の孔３１ｋが形成されている。
【００４１】
そして、電源基板ユニット１に組み合わされた隔壁３２は、第１基板１０の第１面１０ａが底壁３１ａに対向するようにケース３１の開口３１０を覆う。このとき、隔壁本体３２１の外縁は開口３１０の内縁に嵌まり込み、隔壁３２の凸部３２ｅがケース本体３１１の凹部３１ｑにそれぞれ嵌まり込み、１つの筐体３が構成される。そして、第１基板１０の第１面１０ａがリブ３１ｆの前端（先端）に当接することで、第１基板１０の後方向への移動が規制されている。また、第１基板１０の左側端及び右側端が凸部３１ｇに当接することで、第１基板１０の左右方向への移動が規制されている。また、第１基板１０の上端及び下端が側壁３１ｄ，３１ｅの内面に当接することで、第１基板１０の上下方向への移動が規制されている。
【００４２】
このように、電源基板ユニット１は、筐体３に収納され、ケース３１及び隔壁３２に対して位置決めされる。
【００４３】
電源基板ユニット１が筐体３に収納されると、図８に示すように、電源端子台１１の後部は孔３１ｉに嵌まり込み、電源端子台１１の後面は、後方に向かって筐体３外に露出している。ケース３１の底壁３１ａの外面の左下隅には、底壁３１ａの内面の突台３１ｈに対応する凹部３１ｍが形成されている。ケース３１の外面において、孔３１ｉは凹部３１ｍに形成されている。
【００４４】
そして、電源端子台１１の後面には、一対の入線口１１１，１１１が形成され、解除釦１１２が配置されている。一対の入線口１１１は一対の入力端子１１ａ，１１ｂにそれぞれ対応している。そして、解除釦１１２が押下された状態で電源線Ｗ１１，Ｗ１２（図５参照）が入線口１１１に挿入され、解除釦１１２の押下状態が解除されると、電源線Ｗ１１，Ｗ１２が入力端子１１ａ，１１ｂに接続される。また、解除釦１１２が押下されることによって、入力端子１１ａ，１１ｂのそれぞれに対する電源線Ｗ１１，Ｗ１２の接続状態が解除され、電源線Ｗ１１，Ｗ１２を入線口１１１から引き抜くことができる。
【００４５】
さらに、隔壁３２のリブ３２ｍ（図６参照）は、電源端子台１１の前方に対向している。したがって、電源線Ｗ１１，Ｗ１２の結線作業及び取り外し作業時に、電源端子台１１に前方向の力が加わっても、リブ３２ｍによって第１基板１０の変形を抑えることができる。
【００４６】
また、図８に示すように、信号端子台１５の後部は孔３１ｋに嵌まり込み、信号端子台１５の後面は、後方に向かってケース３１外に露出している。底壁３１ａの外面の右上隅には、底壁３１ａの内面の突台３１ｊに対応する凹部３１ｎが形成されている。ケース３１の外面において、孔３１ｋは凹部３１ｎに形成されている。
【００４７】
そして、信号端子台１５の後面には一対の入線口１５１，１５１が形成され、ねじ１５２が配置されている。一対の入線口１５１は一対の出力端子１５ａ，１５ｂにそれぞれ対応している。そして、ねじ１５２が緩められた状態で信号線Ｗ２１，Ｗ２２が入線口１５１に挿入され、ねじ１５２が締め込まれると、信号線Ｗ２１，Ｗ２２が出力端子１５ａ，１５ｂに接続される。また、ねじ１５２が緩められることによって、出力端子１５ａ，１５ｂのそれぞれに対する信号線Ｗ２１，Ｗ２２の接続状態が解除され、信号線Ｗ２１，Ｗ２２を入線口１５１から引き抜くことができる。
【００４８】
次に、図９に示すように、制御基板ユニット２は、補助プレート４に取り付けられる。
【００４９】
制御基板ユニット２は、上下方向の寸法が左右方向の寸法より長い矩形板状の第２基板２０を備える。第２基板２０の四隅には、切り欠き２０１〜２０４がそれぞれ形成されている。そして、信号生成回路Ｋ２（ＤＣ変換回路２１、マイクロコンピュータ２２、調光信号出力回路２４）、調光用の可変抵抗器２３、過電流検知回路２５、及びレセプタクル２６をそれぞれ構成する電気部品Ｐ２は、第２基板２０の第１面（前面）２０ａ及び第２面２０ｂ（後面）に実装されている。第２基板２０の第１面２０ａ及び第２面２０ｂには導体が形成されており、複数の電気部品Ｐ２は、導体を介して電気的に接続している。ＤＣ変換回路２１、マイクロコンピュータ２２、調光信号出力回路２４、過電流検知回路２５は、第２基板２０の第１面２０ａ及び第２面２０ｂに実装されている抵抗、コンデンサ、コイル、ＩＣ（Integrated Circuit）素子などの電気部品Ｐ２によってそれぞれ構成されている。なお、第２基板２０は、内部に導体を形成している多層基板であってもよい。
【００５０】
調光用の可変抵抗器２３、及びレセプタクル２６は、第２基板２０の第１面２０ａに実装されている（図１参照）。そして、レセプタクル２６には、ワイヤハーネスＷｓ（図５参照）の一端のコネクタが接続され、ワイヤハーネスＷｓの他端側は、切り欠き２０４を通って第２基板２０の第２面２０ｂ側へ引き出される。そして、ワイヤハーネスＷｓは、配線用凹部３２ｃ、切り欠き１０２を通り（図１参照）、ワイヤハーネスＷｓの他端のコネクタは、レセプタクル１６（図６参照）に接続する。したがって、隔壁３２によって電源基板ユニット１と制御基板ユニット２とを隔離し、且つ電源基板ユニット１と制御基板ユニット２とを電気的に接続することができる。
【００５１】
補助プレート４は、矩形箱状のプレート本体４１を有し、プレート本体４１の後面には開口４１０が形成されている。プレート本体４１は、矩形板形状の底壁４１ａと、底壁４１ａの左右の両側縁から前方に向かってそれぞれ設けられた板状の側壁４１ｂ，４１ｃと、底壁４１ａの上下の両側縁から前方に向かってそれぞれ設けられた板状の側壁４１ｄ，４１ｅとを有する。補助プレート４は、合成樹脂成型品であり、例えばＡＢＳ（Acrylonitrile Butadiene Styrene）樹脂、またはＡＳＡ（Acrylate Styrene Acrylonitrile）樹脂、またはＰＢＴ樹脂を材料とする。
【００５２】
側壁４１ｂ，４１ｃの各内面には、上下方向に延びたリブ４１ｆがそれぞれ形成されている。すなわち、リブ４１ｆによって、側壁４１ｂ，４１ｃの各内面の前部が後部より内側に突出した段構造になっている。そして、リブ４１ｆの後端に第２基板２０の第１面２０ａが当接し、第２基板２０の前方向への移動が規制されている。
【００５３】
底壁４１ａには、円形状の孔４１ｇ，４１ｈが形成されている。そして、制御基板ユニット２が有する調光用の可変抵抗器２３の軸２３ａ（図１参照）が孔４１ｇを後方から前方へ挿通する。軸２３ａが回転すると、調光用の可変抵抗器２３の抵抗値が変化する。また、下限値設定用の可変抵抗器２７が、第２基板２０の第１面２０ａに実装されており（図１参照）、可変抵抗器２７の軸２７ａ（図１参照）が孔４１ｈを後方から前方へ挿通する。軸２７ａが回転すると、調光用の可変抵抗器２７の抵抗値が変化する。そして、マイクロコンピュータ２２は、可変抵抗器２７の両端電圧に基づいて調光の下限レベルを制御する。
【００５４】
底壁４１ａに内面には、円柱状のボス４１ｉ、４１ｊが設けられており、ボス４１ｉ、４１ｊの先端面から前後方向（ボス４１ｉ、４１ｊの軸方向）に沿ってねじ孔がそれぞれ形成されている。第２基板２０は、ボス４１ｉに対向する位置に、切り欠き２０４に連続した円弧形状の切り欠き２０ｃが形成されており、ボス４１ｊに対向する位置に円形状の孔２０ｄが形成されている。そして、２本のねじ９１，９１が、切り欠き２０ｃ、孔２０ｄをそれぞれ後方から前方へ挿通し、ボス４１ｉ、４１ｊの各ねじ孔に締め込まれる。この結果、制御基板ユニット２は、２本のねじ９１，９１によって補助プレート４に固定される。
【００５５】
また、補助プレート４の下部には、照明器具の点灯、消灯を切り換えるためにユーザが操作するハンドル４１ｋが、前後方向において移動自在な状態で取り付けられている。ハンドル４１ｋの後面には、操作片４１ｍが形成されている。一方、第２基板２０の第１面２０ａには、操作片４１ｍに対向して押し釦スイッチ２８（電気部品Ｐ２）が実装されている。そして、ハンドル４１ｋの操作時に、操作片４１ｍの先端が押し釦スイッチ２８のアクチュエータを押下することで、制御基板ユニット２のマイクロコンピュータ２２は、ハンドル４１ｋの操作の有無を検出できる。マイクロコンピュータ２２は、ハンドル４１ｋの操作によって、ＰＷＭ信号Ｙ１の出力開始、出力停止を行う。
【００５６】
また、第２基板２０の第１面２０ａには、ＬＥＤ素子（電気部品Ｐ２）が実装されている。そして、ハンドル４１ｋの操作によって照明器具を消灯制御しているときに、ＬＥＤ素子が点灯する。ハンドル４１ｋの左側には、透光性を有するランプカバー４１ｎが取り付けられている。ＬＥＤ素子が発する光は、ランプカバー４１ｎを透過して、ハンドル４１ｋの前方に出射される。なお、ハンドル４１ｋの操作によって照明器具を点灯制御しているときに、ＬＥＤ素子が点灯してもよい。
【００５７】
そして、図１に示すように、筐体３の前面がプレート本体４１の後面に対向して、筐体３と補助プレート４とが組み合わされる。プレート本体４１の内面の四隅には、前後方向に延設された柱形状の４つのリブ４１ｐ（図９参照）がそれぞれ形成されている。一方、隔壁本体３２１の第２面３２ｂの周縁には、線形状の凸壁３２ｎ（図７参照）が形成されており、さらに、第２面３２ｂの左上隅、右上隅、及び下縁には、凸壁３２ｎから前方へ延びるリブ３２ｐ（図７参照）がそれぞれ形成されている。そして、筐体３と補助プレート４とが組み合わされると、ケース３１の前端とプレート本体４１の後端とが互いに嵌まり込み、リブ３２ｐの端面とリブ４１ｐの端面とが互いに対向または当接する。
【００５８】
ケース３１には、側壁３１ｂ，３１ｃの各々の外面に一対の組立突起３１ｐが設けられている。側壁３１ｂ，３１ｃにおいて、一対の組立突起３１ｐは、ケース３１の長手方向（上下方向）に並んで設けられている。
【００５９】
補助プレート４の側壁４１ｂ，４１ｃのそれぞれには、後縁から後方に向かって一対の組立片４１ｑが延びて設けられている。各組立片４１ｑには、組立孔４１ｒが形成されている。組立孔４１ｒに、対応する組立突起３１ｐが係合することにより、筐体３（ケース３１）と補助プレート４とが結合される（図１０参照）。
【００６０】
調光操作部５は、補助プレート４の前方から、調光用の可変抵抗器２３の軸２３ａに取り付けられる。そして、調光操作部５が回転すると、軸２３ａも同方向に回転し、調光用の可変抵抗器２３の抵抗値が変化する。調光操作部５が一方向に回転すると、可変抵抗器２３の抵抗値が増大し、調光操作部５が他方向に回転すると、可変抵抗器２３の抵抗値が減少する。調光操作部５は、合成樹脂成型品であり、例えばＡＢＳ（Acrylonitrile Butadiene Styrene）樹脂、またはＡＳＡ（Acrylate Styrene Acrylonitrile）樹脂、またはＰＢＴ樹脂を材料とする。
【００６１】
したがって、上述の調光装置Ａ１では、電源基板ユニット１と制御基板ユニット２とのうち、電源基板ユニット１が筐体３に収納されている。すなわち、電源基板ユニット１と制御基板ユニット２との間には隔壁３２が配置されており、隔壁３２が電源基板ユニット１と制御基板ユニット２とを機械的に互いに隔離している。さらに、電源基板ユニット１には、電源端子台１１だけでなく、信号端子台１５も実装されており、隔壁３２が信号端子台１５と制御基板ユニット２とを機械的に互いに隔離している。
【００６２】
したがって、調光装置Ａ１は、信号端子台１５に電源線Ｗ１１，Ｗ１２が誤って接続された場合でも、隔壁３２によって制御基板ユニット２への影響を抑えることができる。すなわち、調光装置Ａ１は、信号端子台１５に電源線Ｗ１１，Ｗ１２が誤って接続された場合でも、制御基板ユニット２に生じる不具合を低減できる。
【００６３】
この結果、調光装置Ａ１は、保護装置を簡略化できるので、従来に比べて小型化を図ることも可能になる。
【００６４】
上述の調光装置Ａ１は、図３、図４に示すように取付枠６に取り付けられる。
【００６５】
取付枠６は、溶融亜鉛めっき鋼板（ＳＧＣＣ）により、調光装置Ａ１が取り付けられる窓孔６１を有した矩形枠状に形成される。この取付枠６は、長手方向（上下方向）において窓孔６１を挟んで対向する一対の第１梁部６ａと、一対の第１梁部６ａが対向する方向と交差する方向（左右方向）において、窓孔６１を挟んで対向する一対の第２梁部６ｂとを備える。つまり、一対の第１梁部６ａと、一対の第２梁部６ｂとで囲まれた空間が窓孔６１となっている。
【００６６】
一対の第１梁部６ａの各々には、第１梁部６ａの裏面側を造営材（例えば壁材）の表面に当てた状態で、第１梁部６ａを造営材に固定するためのネジ（図示せず）を挿入する挿入孔６ｃが設けられている。また、一対の第１梁部６ａの各々には、挿入孔６ｃよりも外側であって、左右方向の中央にネジ孔６ｄが設けられている。
【００６７】
一対の第２梁部６ｂの各々は、上下方向から見て、Ｌ字の断面形状に形成されている。補助プレート４の前部の左右方向の寸法は、補助プレート４の後部の左右方向の寸法より短く、側壁４１ｂ，４１ｃには段部４１ｓが形成されている。そして、一対の第２梁部６ｂの間に補助プレート４の前部が挿入され、第２梁部６ｂが段部４１ｓに嵌まり込む。このとき、窓孔６１の４隅にそれぞれ設けられた挿通孔６ｅと、補助プレート４の段部４１ｓの上側及び下側にそれぞれ設けたねじ孔４１ｔとが前後方向に連通する。そして、４本のねじ９２が、４つの挿通孔６ｅをそれぞれ前方から後方へ挿通し、４つのねじ孔４１ｔにそれぞれ締め込まれる。
【００６８】
このように、調光装置Ａ１は、４本のねじ９４によって取付枠６に固定されており、補助プレート４の前端部が窓孔６１から前側に突出した状態で調光装置Ａ１が取付枠６に取り付けられる。
【００６９】
そして、取付枠６は、後面側を造営材の表面に当てた状態で造営材に固定され、調光装置Ａ１は、造営材に形成された埋込用の孔に調光装置Ａ１の後部を収納した状態で造営材の表面に取り付けられる。すなわち、調光装置Ａ１は、埋め込み型の配線器具として用いられる。
【００７０】
次に、取付枠６の前面側に取り付けられる化粧カバー７について説明する。化粧カバー７は、図３、図４に示すように、前壁７ａと側壁７ｂとが合成樹脂成形体として一体に構成されている。補助プレート４の側壁４１ｄ、４１ｅの各前端には、係止突起４１ｕが形成されており、前壁７ａの後面には、一対の係止突起４１ｕに係止する一対の係止爪が形成されている。そして、前壁７ａの後面に設けた一対の係止爪が一対の係止突起４１ｕにそれぞれ係止することで、化粧カバー７が調光装置Ａ１の前面に取り付けられる。化粧カバー７は、合成樹脂成型品であり、例えばＡＢＳ樹脂、またはＡＳＡ樹脂、またはＰＢＴ樹脂を材料とする。
【００７１】
また、前壁７ａは、前後方向に挿通する円形状の孔７ｃ及び矩形状の孔７ｄが形成されている。そして、孔７ｃには調光操作部５が挿通し、調光操作部５が孔７ｃから前側に突出した状態で化粧カバー７が調光装置Ａ１に取り付けられる。さらに、孔７ｄにはハンドル４１ｋが挿通し、ハンドル４１ｋが孔７ｄから前側に突出した状態で化粧カバー７が調光装置Ａ１に取り付けられる。
【００７２】
（まとめ）
上述の実施形態に係る第１の態様の調光装置Ａ１は、電源端子台１１と、電源回路Ｋ１と、信号端子台１５と、信号生成回路Ｋ２と、筐体３と、を備える。電源端子台１１は、電源線Ｗ１１，Ｗ１２が接続されて交流電圧Ｖ１を入力される。電源回路Ｋ１は、交流電圧Ｖ１を直流電圧Ｖ３に変換する。信号端子台１５は、信号線Ｗ２１，Ｗ２２を接続される。信号生成回路Ｋ２は、駆動電源として直流電圧Ｖ３を入力されて、照明器具の調光レベルを指示するための調光信号Ｙ２を生成し、信号端子台１５から信号線Ｗ２１，Ｗ２２を介して調光信号Ｙ２を出力する。筐体３は、電源端子台１１、電源回路Ｋ１、及び信号端子台１５を収納する。そして、筐体３は、電源端子台１１、電源回路Ｋ１、及び信号端子台１５と信号生成回路Ｋ２とを隔てる隔壁３２を備える。
【００７３】
上述の調光装置Ａ１では、電源回路Ｋ１と信号生成回路Ｋ２とのうち、電源回路Ｋ１が筐体３に収納されている。すなわち、電源回路Ｋ１と信号生成回路Ｋ２との間には隔壁３２が配置されており、隔壁３２が電源回路Ｋ１と信号生成回路Ｋ２とを機械的に互いに隔離している。さらに、筐体３には、電源端子台１１だけでなく、信号端子台１５も収納されており、隔壁３２が信号端子台１５と信号生成回路Ｋ２とを機械的に互いに隔離している。
【００７４】
したがって、調光装置Ａ１は、信号端子台１５に電源線Ｗ１１，Ｗ１２が誤って接続された場合でも、隔壁３２によって信号生成回路Ｋ２への影響を抑えることができる。すなわち、調光装置Ａ１は、信号端子台１５に電源線Ｗ１１，Ｗ１２が誤って接続された場合でも、信号生成回路Ｋ２に生じる不具合を低減できる。
【００７５】
また、実施形態に係る第２の態様の調光装置Ａ１では、第１の態様において、信号生成回路Ｋ２は、隔壁３２より前方に配置され、筐体３は、信号端子台１５を露出させる孔３１ｋを後面に設けていることが好ましい。
【００７６】
上述の調光装置Ａ１では、信号端子台１５が筐体３の後方に露出しており、信号生成回路Ｋ２は、隔壁３２より前方に配置されている。したがって、信号端子台１５に電源線Ｗ１１，Ｗ１２が誤って接続された場合でも、信号生成回路Ｋ２に生じる不具合をより低減できる。
【００７７】
また、実施形態に係る第３の態様の調光装置Ａ１では、第２の態様において、筐体３が直接または間接に取り付けられて造営材の前面に固定される取付枠６を備え、筐体３が造営体の開口に埋込配設されていることが好ましい。
【００７８】
したがって、信号端子台１５は、造営体（例えば壁面など）の裏側に位置するので、信号端子台１５に電源線Ｗ１１，Ｗ１２が誤って接続された場合でも、造営体の表側（例えば室内空間）への影響をより低減できる。
【００７９】
また、実施形態に係る第４の態様の調光装置Ａ１では、第１乃至第３のいずれかの態様において、電源基板ユニット１と、制御基板ユニット２と、を備えて、筐体３は、電源基板ユニット１を収納することが好ましい。電源基板ユニット１は、電源端子台１１、電源回路Ｋ１、信号端子台１５が実装された第１基板１０を有する。制御基板ユニット２は、信号生成回路Ｋ２が実装された第２基板２０を有する。
【００８０】
上述の調光装置Ａ１では、電源基板ユニット１と制御基板ユニット２とのうち、電源基板ユニット１が筐体３に収納されている。すなわち、筐体３が電源基板ユニット１と制御基板ユニット２とを互いに隔離している。したがって、調光装置Ａ１は、信号端子台１５に電源線Ｗ１１，Ｗ１２が誤って接続された場合でも、制御基板ユニット２に生じる不具合を低減できる。
【００８１】
また、実施形態に係る第５の態様の調光装置Ａ１では、第４の態様において、筐体３は、前面に開口３１０を有して、開口３１０を隔壁３２によって覆われたケース３１を備えることが好ましい。そして、隔壁３２は、板状の隔壁本体３２１と、隔壁本体３２１の外縁から後方に向かって突出している側壁３２ｈと、第１基板１０を支持する支持部（側壁３２ｈ、切り欠き３２ｇ、及び載置片３２ｋ）と、を有する。
【００８２】
したがって、上述の調光装置Ａ１では、隔壁３２をケース３１に取り付けることで、第１基板１０を支持でき、電源基板ユニット１の位置決めを容易に行うことができる。
【００８３】
また、実施形態に係る第６の態様の調光装置Ａ１では、第５の態様において、隔壁本体３２１は、電源端子台１１に対向する箇所にリブ３２ｍを有することが好ましい。
【００８４】
したがって、上述の調光装置Ａ１では、電源線Ｗ１１，Ｗ１２の結線作業及び取り外し作業時に、電源端子台１１に力が加わっても、リブ３２ｍによって第１基板１０の変形を抑えることができる。
【００８５】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００８６】
Ａ１  調光装置
１  電源基板ユニット
１０  第１基板
１１  電源端子台
１５  信号端子台
２  制御基板ユニット
２０  第２基板
３  筐体
３１  ケース
３１０  開口
３２  隔壁
３２ｇ  切り欠き（支持部）
３２ｈ  側壁（支持部）
３２ｋ  載置片（支持部）
３２ｍ  リブ
６  取付枠
Ｋ１  電源回路
Ｋ２  信号生成回路
Ｗ１１，Ｗ１２  電源線
Ｗ２１，Ｗ２２  信号線
【図１】
2019129093.tif 000003
【図２】
2019129093.tif 000004
【図３】
2019129093.tif 000005
【図４】
2019129093.tif 000006
【図５】
2019129093.tif 000007
【図６】
2019129093.tif 000008
【図７】
2019129093.tif 000009
【図８】
2019129093.tif 000010
【図９】
2019129093.tif 000011